(57)【要約】【課題】使用時に所定量の薬剤のみを外気にさらし、残りの薬剤を外気から遮断できるようにした通気式薬剤容器を提供する。【解決手段】垂直杆４の下端から外向きフランジ状底壁８を介して外周壁１０を起立するベース部材２と、頂壁３８の中央部から垂下する上端開口の通気管４２を、上記垂直杆４の上部外面に、また頂壁３８の外周から垂下する装着筒２０を、上記外周壁１０の表面にそれぞれ気密かつ摺動自在に嵌合した作動部材１６とを具備し、上記装着筒２０から内方突出する仕切り壁２８の内端を、上記垂直杆４の下部外面に気密かつ摺動自在に嵌合させ、この仕切り壁を底壁として外部から遮断された薬剤貯蔵室５２を、装着筒２０の内面と垂直杆４及び通気管４２の各外面との間に形成し、垂直杆４の上面を薬剤受面６とした。【選択図】図１
2010011888.tif 000002
【特許請求の範囲】
【請求項１】
垂直な棒状体４の下端から外向きフランジ状底壁８を介して外周壁１０を起立するベース部材２と、
頂壁３８の中央部から垂下する上端開口の通気管４２を、上記棒状体４の上部外面に、また頂壁３８の外周から垂下する装着筒２０を、上記外周壁１０の表面にそれぞれ気密かつ摺動自在に嵌合した作動部材１６とを具備し、
上記装着筒２０から内方突出する仕切り壁２８の内端を、上記棒状体４の下部外面に気密かつ摺動自在に嵌合させ、
この仕切り壁を底壁として外部から遮断された薬剤貯蔵室５２を、装着筒２０の内面と棒状体４及び通気管４２の各外面との間に形成し、
また棒状体４の上面を薬剤受面６とし、
この薬剤受面６から通気管４２の内部を経て外部へ至る通気路４３が、ベース部材２に対する作動部材１６の上昇により、薬剤貯蔵室５２と連続し、この薬剤貯蔵室内の薬剤が薬剤受面６上へ流れ込むように構成したことを特徴とする、通気式薬剤容器。
【請求項２】
上記仕切り壁２８を、装着筒２０の上部側から下内方へ斜行する傾斜壁とし、作動部材１６を上限位置まで移動させたときに、仕切り壁２８の内端が上記薬剤受面６とほぼ同じ高さに位置するように構成したことを特徴とする、請求項１記載の通気式薬剤容器。
【請求項３】
上記薬剤受面６を、下方への弯曲面としたことを特徴とする、請求項２記載の通気式薬剤容器。
【請求項４】
薬剤貯蔵室５２を、棒状体４の周囲全体に囲成させたことを特徴とする、請求項２又は請求項３に記載の通気式薬剤容器。
【請求項５】
上記ベース部材２と作動部材１６との各外面の間に封緘帯１４を設け、この封緘帯を除去しない限り、ベース部材２に対して作動部材１６を引き上げできないように形成したことを特徴とする、請求項２から請求項４の何れかに記載の通気式薬剤容器。
【請求項６】
上記通気管４２の上端面を、この上端部に破断線４６を介して連続した栓板４８で閉塞し、この栓板に引き抜き用のプルリング５０を付設したことを特徴とする、請求項２から請求項５の何れかに記載の通気式薬剤容器。
【請求項７】
作動部材１６を、上記装着筒２０及び仕切り壁２８を含む装着部１８と、頂壁３８及び通気管４２を含む頂部３6と、頂壁上方の通気管４２部分に螺合させたキャップ部５４との、少なくとも３つのパーツで形成し、ベース部材２と装着部１８との間に第１の回り止めリブ５８ａ、５８ｂを、また装着部１８と頂部３6との間に第２の回り止めリブ６０ａ、６０ｂをそれぞれ形成したことを特徴とする、請求項２から請求項６の何れかに記載の通気式薬剤容器。
【発明の詳細な説明】
【技術分野】
【０００１】
本発明は、通気式薬剤容器、特に芳香剤容器に関する。なお、通気式薬剤容器とは、薬剤が外気に通気している状態で使用する容器をいうものとする。
【背景技術】
【０００２】
芳香・消臭などを目的とする通気式の薬剤容器では、従来、容器体の広口の開口部に、密閉シートを介して通気孔付きの蓋体を装着し、使用時には密閉シートを除去するようにしたものが知られている（特許文献１）。
【特許文献１】特開平１０−１５５８８１号
【発明の開示】
【発明が解決しようとする課題】
【０００３】
特許文献１の容器では、使用時において容器体中の全ての薬剤が外気に晒されるために、その全ての薬剤が使用期間中の早い段階で湿気を含んでしまうことになり易い。このため、使用期間中の初期には揮発作用が強く、使用期間の終わりには揮発作用が弱くなり易い。
【０００４】
本発明の第１の目的は、使用時に所定量の薬剤のみを外気にさらし、残りの薬剤を外気から遮断できるようにした通気式薬剤容器を提供することにある。
【０００５】
本発明の第２の目的は、各使用操作時毎にほぼ定量の薬剤を外気に露出させるようにすることである。
【課題を解決するための手段】
【０００６】
第１の手段は、
垂直な棒状体４の下端から外向きフランジ状底壁８を介して外周壁１０を起立するベース部材２と、
頂壁３８の中央部から垂下する上端開口の通気管４２を、上記棒状体４の上部外面に、また頂壁３８の外周から垂下する装着筒２０を、上記外周壁１０の表面にそれぞれ気密かつ摺動自在に嵌合した作動部材１６とを具備し、
上記装着筒２０から内方突出する仕切り壁２８の内端を、上記棒状体４の下部外面に気密かつ摺動自在に嵌合させ、
この仕切り壁を底壁として外部から遮断された薬剤貯蔵室５２を、装着筒２０の内面と棒状体４及び通気管４２の各外面との間に形成し、
また棒状体４の上面を薬剤受面６とし、
この薬剤受面６から通気管４２の内部を経て外部へ至る通気路４３が、ベース部材２に対する作動部材１６の上昇により、薬剤貯蔵室５２と連続し、この薬剤貯蔵室内の薬剤が薬剤受面６上へ流れ込むように構成している。
【０００７】
本手段では、ベース部材に対して作動部材を昇降自在に設け、ベース部材の底側から起立する棒状体と作動部材の頂部側から垂下する通気管とが継合して通気路を形成し、作動部材内方に形成した薬剤貯蔵室が作動部材とともに上昇して薬剤貯蔵室内の薬剤が通気路の一部である薬剤受面上に流れ込む構造を提案している。
【０００８】
「ベース部材」は、容器の基部を形成しており、中央部から起立する棒状体と周辺部から起立する外周壁とで、後述の作動部材を支えている。外周壁は、作動部材の昇降を一定のストローク幅内において案内するガイド筒の機能を有する。また、棒状体は、通気管との嵌め合いにより通気路を形成する。「棒状体」は、通気管と嵌り合って通気路を形成すると共に、薬剤を支受することで主たる機能とするものであり、その機能を発揮できればどのようなものでもよい。棒状体の形状は、外観が棒状であれば足り、好適な図示例のように筒状のものを含む。また、棒状体は少なくとも上記ストローク幅よりも長く設ける。
【０００９】
「作動部材」は、上記ベース部材の棒状体との間に薬剤貯蔵室を形成する。この薬剤貯蔵室は後述の如く棒状体を囲むように形成することが有利であるが、棒状体の水平方向一側（又は両側）にだけ形成してもよい。
【００１０】
第２の手段は、第１の手段を有し、かつ
上記仕切り壁２８を、装着筒２０の上部側から下内方へ斜行する傾斜壁とし、作動部材１６を上限位置まで移動させたときに、仕切り壁２８の内端が上記薬剤受面６とほぼ同じ高さに位置するように構成している。
【００１１】
本手段では、上記仕切り壁を下内方への傾斜壁としている。例えば薬剤が粒状である場合には、作動部材を上昇させたときに粒状薬剤が傾斜面を転がり、或いは滑って薬剤受面側に集まるので、薬剤を残らず使い切ることができる。また、薬剤収納室内に多数の薬剤があるときには、本願図３に示す如く必要以上の数の薬剤が薬剤受面側に流れ込む場合がある。しかしながら、本手段では、作動部材を上限位置から下降させるときに、その上昇過程と逆の作用で薬剤受面に多量に乗った薬剤のうち過剰分が薬剤貯蔵室内へこぼれ落ちる。これによりおおよそ一定の量の錠剤が薬剤受面上に残り、外気に露出されることになる。
【００１２】
第３の手段は、第２の手段を有し、かつ上記薬剤受面６を、下方への弯曲面としている。
【００１３】
このようにすることで薬剤受面は、受け皿として所要量の薬剤を載置する機能を有する。
【００１４】
第４の手段は、第２の手段又は第３の手段を有し、かつ薬剤貯蔵室５２を、棒状体４の周囲全体に囲成させている。
【００１５】
このようにすることで、作動部材の装着筒内のスペースを有効利用することができ、また作動部材を上限位置から戻すときに薬剤受面の全周から過剰な薬剤が脱落するので、より的確な定量が可能となる。
【００１６】
第５の手段は、第２の手段から第４の手段を有し、かつ、
上記ベース部材２と作動部材１６との各外面の間に封緘帯１４を設け、この封緘帯を除去しない限り、ベース部材２に対して作動部材１６を引き上げできないように形成している。
【００１７】
本手段では、通気管と棒状体の上部とのシール性を高めるために、ベース部材と作動部材との間に封緘帯を設けることを提案している。商品の流通時に上記通気管が外気と連通しているときには、ベース部材に対する作動部材の嵌め合いが不完全であると、例えば内容物である芳香剤の芳香が外気に流入して薬効が低下してしまう。また、好適な図示例のように通気管の先端が破断線付き栓板で閉塞されていると、流通過程で誰かが悪戯に作動部材を引き上げたとしても、芳香が洩れることがない。しかしながら作動部材を引き上げることで薬剤貯蔵室内の薬剤の一部が通気管内にこぼれ落ちる可能性があり、そうなると商品を購入した利用者が栓板を開封したときに、通気管内にこぼれた薬剤を見て商品の品質に不安を感じるおそれがある。本手段では、そうした不都合を回避できるようにしている。
【００１８】
第６の手段は、第２の手段から第５の手段の何れかを有し、かつ
上記通気管４２の上端面を、この上端部に破断線４６を介して連続した栓板４８で閉塞し、この栓板に引き抜き用のプルリング５０を付設している。
【００１９】
本手段では、第１の手段で述べた通り、棒状体と気密に嵌合させた通気管の上端部をさらに栓板で閉塞することを提案している。すなわち通気路経由での薬剤貯蔵室への連通を２段階でシールしている。従って、何者かが本願容器に悪戯をしようとしても２段階のシールを両方を破らなければ薬剤の品質を損なうに至らない。
【００２０】
第７の手段は、第２の手段から第６の手段の何れかを有し、かつ
作動部材１６を、上記装着筒２０及び仕切り壁２８を含む装着部１８と、頂壁３８及び通気管４２を含む頂部３6と、頂壁上方の通気管４２部分に螺合させたキャップ部５４との、少なくとも３つのパーツで形成し、ベース部材２と装着部１８との間に第１の回り止めリブ５８ａ、５８ｂを、また装着部１８と頂部３6との間に第２の回り止めリブ６０ａ、６０ｂをそれぞれ形成している。
【００２１】
本手段では、頂壁上方の通気管部分にキャップ部を螺合するとともに、キャップ部の螺着・螺脱を確実にするために、ベース部材と装着部との間、及び、装着部と頂部との間の無駄回りを防止するための回り止めリブを提案している。
【発明の効果】
【００２２】
第１の手段に係る発明によれば次の効果を奏する。
○薬剤貯蔵室５２は、通常は外部から遮断されており、ベース部材２に対して作動部材１６を上昇させたときだけ通気管４２と連続するから、通気路４３内に入った薬剤以外の薬剤は湿気を帯びることなく、良好な状態で貯蔵される。
○作動部材１６が有する仕切り壁２８を底壁として薬剤貯蔵室５２を形成し、作動部材１６の上昇により薬剤貯蔵室５２も高い位置に移動して外部と開通するようにしたので、従来技術の如く密閉シートを除去する必要がなく、操作が簡単である。
○薬剤貯蔵室が外気と連通しているときには、容器の背が高く、遮断状態との差異が外観上明瞭であるから、作動部材１６を密閉位置（下限位置）に戻すことを失念することを防止できる。
【００２３】
第２の手段に係る発明によれば、次の効果を奏する。
○仕切り壁２８を下内方への傾斜壁としたから、薬剤貯蔵室５２内の薬剤を最後まで薬剤受面６側へ移行させ、残らず使い切ることを確実にする。
○作動部材１６の上限位置で仕切り壁２８の内端が薬剤受面６とほぼ同じ位置となるようにしたから、薬剤受面６上に載った薬剤のうち過剰分を作動部材１６の下降過程で薬剤貯蔵室５２に戻すことができ、定量作用を発揮することができる。
【００２４】
第３の手段に係る発明によれば、薬剤受面６を下方への弯曲面としたから、より確実に所要量の薬剤を薬剤受面６上に留めることができる。
【００２５】
第４の手段に係る発明によれば、薬剤貯蔵室５２を、棒状体４の周囲全体に囲成させており、定量以上の薬剤が薬剤受面６上に乗っていると、作動部材１６の下降過程で薬剤受面６全周のどこからでも薬剤が薬剤貯蔵室５２側へこぼれるようにしたから、定量機能が向上する。
【００２６】
第５の手段に係る発明によれば、ベース部材２と作動部材１６との各外面の間に封緘帯１４を設けたから、封緘が除去されるまでの間の通気管４２と棒状体４の上部とのシールを確実とすることができる。
【００２７】
第６の手段に係る発明によれば、通気管４２の上端部を栓板で、通気管の残り部分を棒状体との気密な嵌合により２重に閉塞しているので、薬剤貯蔵室５２の気密性をさらに高めることができる。
【００２８】
第７の手段に係る発明によれば、回り止めリブを設けたから、通気管４２に対するキャップ部５４の着脱を確実に行うことができる。
【発明を実施するための最良の形態】
【００２９】
本発明の通気式薬剤容器は、ベース部材２と作動部材１６とで形成されている。
【００３０】
ベース部材２は、上面を薬剤受面６とする棒状体４と、棒状体の下端に付設した外向きフランジ状底壁８と、この外向きフランジ状底壁の周縁から起立する外周壁１０とで形成されている。
【００３１】
上記棒状体４は、外周壁１０と同じ程度か或いはそれ以上の長さに形成する。図示例では、中空の直筒形としているが、突棒状に形成することもできる。棒状体４の上面は薬剤受面６として浅皿状に下方に弯曲している。
【００３２】
上記外周壁１０は上端内面に第１リブ１２を付設している。また、外周壁１０の上部外面には封緘帯１４を付設している。この封緘帯１４は、外周壁の外面からフランジ状の横壁を介して垂壁を起立した断面Ｌ字形のものであり、この垂壁内面に付設した係止リブを、後述の鍔部の上面に抜け出し不能に固着している。この封緘帯の適所、例えば横壁は引っ張りにより破断可能に形成する。
【００３３】
作動部材１６は、装着部１８と、頂部３６と、キャップ部５４とで形成している。
【００３４】
上記装着部１８は、上記外周壁１０内面に摺動自在に嵌合された装着筒２０を有する。装着筒２０の外面下端部には、作動部材１６の抜止めのために、上記第１リブ１２と係合可能な第２リブ２２を付設している。装着筒２０の上部外面から鍔部２４を突出する。この鍔部の下面に外周壁１０の上端面を突き当てるとともに、鍔部の上面側に上記封緘帯１４を係合する。装着筒の上端部外面には係合凸部２６を周設する。
【００３５】
さらに上記装着筒２０の内面の上端よりやや下方から、下内方に緩やかに傾斜する漏斗状の仕切り壁２８を棒状体４の外面まで突出している。この仕切り壁２８の水平面に対する傾斜角θは、図３に示すように傾斜壁上の薬剤が薬剤受面側へ滑り落ちる程度の大きさであればよい。傾斜が過剰に過ぎると、薬剤が薬剤受面側に滑落する力が強くなり、後述の作動部材の下降過程で薬剤が薬剤貯蔵室へ戻るという作用が生じにくくなる。図示例では傾斜角θを４５度よりも小さくしている。
【００３６】
上記仕切り壁２８の内周端は、棒状体の外面に気密に接する第１シール突条３０に形成している。さらに傾斜壁の下面内周からスリーブ筒３２を垂下して、その筒壁下面を外向きフランジ状底壁８の上面に当接させている。
【００３７】
上記頂部３６は、頂壁３８から垂下する肩部４０の下端部を、上記装着筒の係合凸部に着脱自在に係合させている。また頂壁の中央部には、上下に貫通して通気管４２を縦設している。また、この通気管の内面下端部に気密に接する第２シール突条４４を、棒状体４の外面上端部に形成している。この第２シール突条４４は、作動部材１６の昇降により第１シール突条を強制的に乗り越え可能とし、かつ図３に示す乗り越え状態で第１シール突条３０が第２シール突条４４の上面に係止することが可能に形成する。また通気管の内面上端には破断線４６を介して管孔を閉塞する栓板４８を連続形成し、この栓板の上面にプルリング５０を付設している。
【００３８】
また、上記頂壁３８の下面と装着筒２０の上部内面と仕切り壁２８の上面と棒状体の上半部外面と通気管４２の下部外面とで、薬剤貯蔵室５２を画成している。
【００３９】
上記キャップ部５４は、上半部を帽子状として、帽子の鍔に相当する部分を図３に示す如く指当て５５として水平方向に延設している。そして、その帽子部分に複数の通気孔５６を穿設し、さらに鍔部分から垂下する嵌合筒を、通気管４２の上半部外面に螺合させている。
【００４０】
なお、ベース部材と装着部との間、及び、装着部と頂部との間には回り止め手段を設けるが、これらについては説明の都合上後の実施例で解説する。
【００４１】
上記構成において、図１の状態からキャップ部５４を外し、図２に示す如くプルリング５０を引っ張って栓板４８を除去する。さらに再びキャップ部５４を装着するとともに封緘帯１４を外すと、使用可能な状態となる。この状態で薬剤貯蔵室５２は、棒状体４への第１シール突条３０の当接と、通気管４２への第２シール突条４４の当接と、係合凸部への肩部４０下端の係合とによって、外気から遮断されている。次に図３に示すように作動部材１６を引き上げると、図３に示すように薬剤Ｄが薬剤受面６上に流入する。図４のように作動部材１６を元の位置に下降させる過程の途中で、薬剤受面６が仕切り壁２８よりも高くなり、薬剤受面６に載りきらない余剰の薬剤Ｄが薬剤貯蔵室側へ零れ落ちる。これによりおおよそ一定量の薬剤が薬剤受面６上に残る。さらに作動部材１６を押し上げると、第２シール突条４４がシールされ、薬剤受面６上の薬剤Ｄから薬効成分が通気孔５６から外気へ流入する。
【００４２】
図６は、本発明の第１の実施例であり、ベース部材２の外向きフランジ状底壁８と装着部１８のスリーブ筒３２とに、相互に係合する第１回り止めリブ５８ａ、５８ｂを形成したものである。
【００４３】
図７は、本発明の第２の実施例であり、装着部１８の装着筒２０上端部分と頂部３６の肩部４０とに、相互に係合する第２回り止めリブ６０ａ、６０ｂを形成したものである。
【図面の簡単な説明】
【００４４】
【図１】本発明の容器の縦断面図である。
【図２】図１の容器の開封過程を示す説明図である。
【図３】図１の容器の使用時の操作の一過程を示す説明図である。
【図４】図１の容器の使用時の操作の次の過程を示す説明図である。
【図５】図１の容器の使用状態を示す図である。
【図６】図１の容器の第１の実施例の拡大図である。
【図７】図１の容器の第２の実施例の拡大図である。
【符号の説明】
【００４５】
２…ベース部材  ４…棒状体  ６…薬剤受面  ８…外向きフランジ状底壁
１０…外周壁  １２…第１リブ  １４…封緘帯  １６…作動部材
１８…装着部  ２０…装着筒  ２２…第２リブ  ２４…鍔部  ２６…係合凸部
２８…仕切り壁
３０…第１シール突条  ３２…スリーブ筒  ３６…頂部  ３８…頂壁  ４０…肩部
４２…通気管  ４３…通気路
４４…第２シール突条  ４６…破断線  ４８…栓板
５０…プルリング  ５２…薬剤貯蔵室  ５４…キャップ部  ５５…指当て
５６…通気孔  ５８ａ、５８ｂ…第１回り止めリブ
６０ａ、６０ｂ…第２回り止めリブ
【図１】
2010011888.tif 000003
【図２】
2010011888.tif 000004
【図３】
2010011888.tif 000005
【図４】
2010011888.tif 000006
【図５】
2010011888.tif 000007
【図６】
2010011888.tif 000008
【図７】
2010011888.tif 000009